(57)【要約】      （修正有）【課題】開通処理に係る作業負担を軽減することができる通信システム、通信装置及びサーバを提供する。【解決手段】通信システムにおいて、サーバ１０は、計測装置５０で計測された計測値を入力する入力部を備えた携帯装置６０から計測値を取得するサーバ取得部と、サーバ取得部で取得した計測値を通信装置４０へ送信する送信部とを備え、通信装置４０は、計測装置５０で計測された計測値を計測装置５０に接続して取得する取得部と、サーバ１０が送信した計測値を受信する受信部と、取得部で取得した計測値及び受信部で受信した計測値に基づいて、通信装置４０と計測装置５０との接続の適否を判定する判定部とを備える。【選択図】図１
2018120459.tif 000002
【特許請求の範囲】
【請求項１】
需要家に設置されたメータを計測する計測装置と、該計測装置に接続して計測値を取得する通信装置と、該通信装置と通信可能なサーバとを備える通信システムであって、
前記サーバは、
前記計測装置で計測された計測値を入力する入力部を備えた携帯装置から該計測値を取得するサーバ取得部と、
該サーバ取得部で取得した計測値を前記通信装置へ送信する送信部と
を備え、
前記通信装置は、
前記計測装置で計測された計測値を該計測装置に接続して取得する取得部と、
前記サーバが送信した計測値を受信する受信部と、
前記取得部で取得した計測値及び前記受信部で受信した計測値に基づいて、前記通信装置と前記計測装置との接続の適否を判定する判定部と
を備える通信システム。
【請求項２】
需要家に設置されたメータを計測する計測装置と、該計測装置に接続して計測値を取得する通信装置と、該通信装置と通信可能なサーバとを備える通信システムであって、
前記通信装置は、
前記計測装置で計測された計測値を該計測装置に接続して取得する取得部と、
該取得部で取得した計測値を前記サーバへ送信する第１送信部と
を備え、
前記サーバは、
前記計測装置で計測された計測値を入力する入力部を備えた携帯装置から該計測値を取得するサーバ取得部と、
前記通信装置が送信した計測値を受信する受信部と、
前記サーバ取得部で取得した計測値及び前記受信部で受信した計測値に基づいて、前記通信装置と前記計測装置との接続の適否を判定する判定部と
を備える通信システム。
【請求項３】
前記通信装置は、
前記判定部での判定結果に関する情報を表示する表示部を備える請求項１に記載の通信システム。
【請求項４】
前記通信装置は、
前記判定部での判定結果を前記サーバ及び前記携帯装置の少なくとも一方へ送信する送信部を備える請求項１又は請求項３に記載の通信システム。
【請求項５】
前記携帯装置は、
計測指示を前記通信装置へ送信する送信部を備え、
前記取得部は、
前記計測指示に基づいて計測値を取得する請求項１、請求項３又は請求項４のいずれか一項に記載の通信システム。
【請求項６】
前記取得部は、
前記サーバが送信した計測値を前記受信部で受信した場合、前記計測装置で計測された計測値を該計測装置に接続して取得する請求項１、請求項３又は請求項４のいずれか一項に記載の通信システム。
【請求項７】
前記サーバは、
前記判定部での判定結果を前記通信装置へ送信する送信部を備える請求項２に記載の通信システム。
【請求項８】
需要家に設置されたメータを計測する計測装置に接続される通信装置であって、
前記計測装置で計測された計測値を該計測装置に接続して取得する取得部と、
前記計測装置で計測された計測値を入力する入力部を備えた携帯装置から送信された計測値を、サーバを介して受信する受信部と、
前記取得部で取得した計測値及び前記受信部で受信した計測値に基づいて、前記通信装置と前記計測装置との接続の適否を判定する判定部と
を備える通信装置。
【請求項９】
需要家に設置されたメータを計測する計測装置に接続される通信装置と通信可能なサーバであって、
前記計測装置で計測された計測値を入力する入力部を備えた携帯装置から該計測値を取得する取得部と、
前記計測装置で計測された計測値を該計測装置に接続して取得した前記通信装置が送信した計測値を受信する受信部と、
前記取得部で取得した計測値及び前記受信部で受信した計測値に基づいて、前記通信装置と前記計測装置との接続の適否を判定する判定部と
を備えるサーバ。
【発明の詳細な説明】
【技術分野】
【０００１】
本発明は、通信システム、通信装置及びサーバに関する。
【背景技術】
【０００２】
各種センサ又は各種機器を制御するアクチュエータ等が接続された複数の無線局でネットワークを構成し、ホームセキュリティ、高齢者又は子供などの安全管理や健康管理、ビルなどの設備管理、工場内の制御又は監視、水道やガスあるいは電気などの各種メータの計測管理などに利用される通信システムが知られている。
【０００３】
例えば、需要家に設置されたメータの計測データを取り込む通信端末がネットワーク未加入である場合、サーバから送信されたトリガー信号を通信端末が受信したとき、通信端末は、返信タイミングをランダムに選択し、選択した返信タイミングで応答信号を返信する。その後、通信端末は、サーバからネットワーク加入済の通知を受信すると、自身のステータスをネットワーク加入済に変更することにより、ネットワークへの自動加入が可能になる電力通信システムが開示されている（特許文献１参照）。
【先行技術文献】
【特許文献】
【０００４】
【特許文献１】特開２０１４−１７９９４６号公報
【発明の概要】
【発明が解決しようとする課題】
【０００５】
しかし、特許文献１の電力通信システムは、通信端末をネットワークへ自動的に加入させることはできるものの、ネットワークへの登録の成否、すなわち、ネットワークへの通信端末の登録が正しく行われたか否かについては考慮されていない。
【０００６】
従来、通信端末（通信装置）が目的の需要家に設置されたメータに接続されているかの確認を行う開通処理では、センタから需要家を指定し、遠隔通信で指定した需要家のメータの指針値を取得するとともに、作業者が設置現場のメータの指針値を読み出し、センタのオペレータと作業者とが電話にて確認を行っている。このため、センタのオペレータ及び現場の作業者の負担が大きかった。
【０００７】
本発明は斯かる事情に鑑みてなされたものであり、開通処理に係る作業負担を軽減することができる通信システム、該通信システムを構成する通信装置及びサーバを提供することを目的とする。
【課題を解決するための手段】
【０００８】
本発明に係る通信システムは、需要家に設置されたメータを計測する計測装置と、該計測装置に接続して計測値を取得する通信装置と、該通信装置と通信可能なサーバとを備える通信システムであって、前記サーバは、前記計測装置で計測された計測値を入力する入力部を備えた携帯装置から該計測値を取得するサーバ取得部と、該サーバ取得部で取得した計測値を前記通信装置へ送信する送信部とを備え、前記通信装置は、前記計測装置で計測された計測値を該計測装置に接続して取得する取得部と、前記サーバが送信した計測値を受信する受信部と、前記取得部で取得した計測値及び前記受信部で受信した計測値に基づいて、前記通信装置と前記計測装置との接続の適否を判定する判定部とを備える。
【０００９】
本発明に係る通信システムは、需要家に設置されたメータを計測する計測装置と、該計測装置に接続して計測値を取得する通信装置と、該通信装置と通信可能なサーバとを備える通信システムであって、前記通信装置は、前記計測装置で計測された計測値を該計測装置に接続して取得する取得部と、該取得部で取得した計測値を前記サーバへ送信する第１送信部とを備え、前記サーバは、前記計測装置で計測された計測値を入力する入力部を備えた携帯装置から該計測値を取得するサーバ取得部と、前記通信装置が送信した計測値を受信する受信部と、前記サーバ取得部で取得した計測値及び前記受信部で受信した計測値に基づいて、前記通信装置と前記計測装置との接続の適否を判定する判定部とを備える。
【００１０】
本発明に係る通信システムにおいて、前記通信装置は、前記判定部での判定結果に関する情報を表示する表示部を備える。
【００１１】
本発明に係る通信システムにおいて、前記通信装置は、前記判定部での判定結果を前記サーバ及び前記携帯装置の少なくとも一方へ送信する送信部を備える。
【００１２】
本発明に係る通信システムにおいて、前記携帯装置は、計測指示を前記通信装置へ送信する送信部を備え、前記取得部は、前記計測指示に基づいて計測値を取得する。
【００１３】
本発明に係る通信システムにおいて、前記取得部は、前記サーバが送信した計測値を前記受信部で受信した場合、前記計測装置で計測された計測値を前記電線を介して取得する。
【００１４】
本発明に係る通信システムにおいて、前記サーバは、前記判定部での判定結果を前記通信装置へ送信する送信部を備える。
【００１５】
本発明に係る通信システムにおいて、前記通信装置は、前記サーバが送信した判定結果に関する情報を表示する表示部を備える。
【００１６】
本発明に係る通信システムにおいて、前記通信装置は、前記サーバが送信した判定結果を前記携帯装置へ送信する第２送信部を備える。
【００１７】
本発明に係る通信装置は、需要家に設置されたメータを計測する計測装置に接続される通信装置であって、前記計測装置で計測された計測値を該計測装置に接続して取得する取得部と、前記計測装置で計測された計測値を入力する入力部を備えた携帯装置から送信された計測値を、サーバを介して受信する受信部と、前記取得部で取得した計測値及び前記受信部で受信した計測値に基づいて、前記通信装置と前記計測装置との接続の適否を判定する判定部とを備える。
【００１８】
本発明に係るサーバは、需要家に設置されたメータを計測する計測装置に接続される通信装置と通信可能なサーバであって、前記計測装置で計測された計測値を入力する入力部を備えた携帯装置から該計測値を取得する取得部と、前記計測装置で計測された計測値を該計測装置に接続して取得した前記通信装置が送信した計測値を受信する受信部と、前記取得部で取得した計測値及び前記受信部で受信した計測値に基づいて、前記通信装置と前記計測装置との接続の適否を判定する判定部とを備える。
【発明の効果】
【００１９】
本発明によれば、開通処理に係る作業負担を軽減することができる。
【図面の簡単な説明】
【００２０】
【図１】実施の形態１の通信システムの構成の一例を示す説明図である。
【図２】実施の形態１のサーバの構成の一例を示すブロック図である。
【図３】実施の形態１の親機の構成の一例を示すブロック図である。
【図４】実施の形態１の子機の構成の一例を示すブロック図である。
【図５】実施の形態１の設定器の構成の一例を示すブロック図である。
【図６】比較例としての開通時の指針値確認判定処理の一例を示す説明図である。
【図７】実施の形態１の通信システムによる開通時の指針値確認判定処理の一例を示す説明図である。
【図８】実施の形態２の通信システムによる開通時の指針値確認判定処理の一例を示す説明図である。
【図９】実施の形態３に用いるサーバの構成の一例を示すブロック図である。
【図１０】実施の形態３に用いる子機の構成の一例を示すブロック図である。
【図１１】実施の形態３の通信システムによる開通時の指針値確認判定処理の一例を示す説明図である。
【００２１】
［実施の形態１］
以下、本発明の実施の形態を図面に基づいて説明する。図１は実施の形態１の通信システムの構成の一例を示す説明図である。本実施の形態では、通信システムの一例として、無線テレメータシステムについて説明するが、通信システムは、無線テレメータシステムに限定されるものではなく、無線テレコントロールシステムでもよく、あるいはデータ伝送用のシステム等であってもよい。
【００２２】
無線テレメータシステムは、センタ側の構成として、サーバ１０及びセンタ側網制御装置２０を有し、端末側の構成として、親機３０、複数の通信装置としての子機４０、及び各子機４０に電線１を介して接続された計測装置５０を有する。計測装置５０は、例えば、需要家に設置されたメータ（不図示）を計測することによって計測値を取得する。なお、本明細書では、各子機４０と計測装置５０とは、電線１を介して接続された構成を示すが、子機４０と計測装置５０との接続は、有線接続に限定されるものではなく、無線接続（例えば、子機４０と計測装置５０とが１：１に対応付けられた状態）でもよい。
【００２３】
センタ側網制御装置２０と親機３０とは、例えば、ＰＨＳ網、ＦＯＭＡ網などの広域無線網Ｎ１に接続され、広域無線網Ｎ１を介して無線通信を行う。なお、図１に示す例では、センタ側の装置と端末側の装置とを広域無線網Ｎ１により接続する構成を示すが、有線のＩＰ網や公衆網などの通信網で接続する構成であってもよい。また、図１に示す例では、広域無線網Ｎ１に接続されている親機３０の数を一つとしたが、複数の親機３０が接続されていてもよい。
【００２４】
また、広域無線網Ｎ１には、携帯装置としての設定器６０を接続することができ、設定器６０からサーバ１０に対して、例えば、メール送信を行うことができる。
【００２５】
センタ側網制御装置２０は、例えば、通信事業者の公衆網に設けられ、広域無線網Ｎ１を介した端末側との通信を制御する機能を有する。センタ側網制御装置２０、サーバ１０から端末側へ送信すべき電文を受信した場合、広域無線網Ｎ１の通信規格に準拠した通信方式にて端末側へ送信する。また、センタ側網制御装置２０は、広域無線網Ｎ１を介して端末側から送信された電文を受信した場合、受信した電文をサーバ１０へ送信する。
【００２６】
親機３０は、広域無線網Ｎ１を介してセンタ側に接続されると共に、狭域無線網Ｎ２を介して複数の子機４０と通信可能に接続される。
【００２７】
子機４０は、狭域無線網Ｎ２を通じてセンタ側からの電文を受信した場合、その電文が自機宛の電文であるか否かを判断する。子機４０は、受信した電文の宛先アドレスとして自機のＩＤが指定されている場合、受信した電文が自機宛の電文であると判断し、その電文に含まれるデータの内容に基づいて各種の処理を実行することができる。また、センタ側と自機に接続された計測装置５０との間で通信接続が確立している場合、子機４０は、外部から受信した電文を自機に接続された計測装置５０へ転送することができる。
【００２８】
子機４０は、自機内でセンタ側へ通知すべきイベントが発生した場合、あるいは自機に接続された計測装置５０から検針値等のデータを含む電文を受信した場合、親機３０へ電文を送信することができる。親機３０は、子機４０から送信された電文を受信した場合、広域無線網Ｎ１を介した無線通信によりサーバ１０へ電文を送信することができる。
【００２９】
計測装置５０は、事業体から需要家に対して供給される水道、ガス、電気など供給物の使用量を不図示の需要家に設置されたメータによって計測し、計測値（検針値）を出力する計測器である。計測装置５０は、例えば８ビット系メータであり、８ビット系の電文フォーマットによりセンタ側と通信する機能を有する。
【００３０】
図２は実施の形態１のサーバ１０の構成の一例を示すブロック図である。サーバ１０は、サーバ全体を制御する制御部１１、通信部１２、記憶部１３、メール受信部１４などを備える。
【００３１】
通信部１２は、送信部及び受信部としての機能を有し、広域無線網Ｎ１を介して親機３０との間の通信を行う。
【００３２】
記憶部１３は、通信部１２で受信した情報（例えば、計測装置５０の指針値、計測装置５０（メータ）が設置された需要家（顧客）の番号などの識別情報）、及び需要家に設置された計測装置５０（メータ）の識別番号などを登録することができる。
【００３３】
メール受信部１４は、サーバ取得部及び取得部としての機能を有し、広域無線網Ｎ１を介して設定器６０が送信したメールを受信することができる。
【００３４】
図３は実施の形態１の親機３０の構成の一例を示すブロック図である。親機３０は、親機３０全体を制御する制御部３１、表示部３２、操作部３３、広域無線通信部３４、狭域無線通信部３５、記憶部３６などを備える。親機３０が備えるハードウェア各部は、不図示の電池から供給される電力により動作する。
【００３５】
制御部３１は、例えば、ＣＰＵ、ＲＯＭなどを備え、ＲＯＭに予め格納された制御プログラムをＣＰＵが実行することにより、親機３０が備えるハードウェア各部の制御を行う。
【００３６】
記憶部３６は、例えば、ＥＥＰＲＯＭ（Electrically Erasable Programmable Read Only Memory）などの不揮発性メモリにより構成されており、親機３０の動作に関する設定情報、広域無線網Ｎ１を介して通信する際に必要となる情報、狭域無線網Ｎ２を介して通信する際に必要となる情報等を記憶する。
【００３７】
広域無線通信部３４は、アンテナ（不図示）を通じて電波を発信及び受信することによって、広域無線網Ｎ１を介した無線通信を行う。親機３０は、例えば、狭域無線通信部３５を通じて子機４０から計測装置５０の指針値を含む電文を受信した場合、当該電文をセンタ側のサーバ１０へ送信する。
【００３８】
また、広域無線通信部３４は、アンテナにて電波を受信した場合、受信した電波をデコードすることにより電文を取得する。広域無線通信部３４は、デコードして得られる電文を制御部３１へ出力する。制御部３１は、広域無線通信部３４から出力された電文を取得した場合、その電文に応じた処理、及び狭域無線通信部３５を通じて子機４０へ転送する処理を行う。
【００３９】
狭域無線通信部３５は、アンテナ（不図示）を通じて電波を発信及び受信することによって、複数の子機４０との間で所定の無線通信方式にて通信を行う。無線通信方式としては、例えば、特定小電力無線方式が採用される。特定小電力無線方式では、周波数割当帯域として、４２６ＭＨｚ帯域の他、より通信速度の速い９２０ＭＨｚ帯域が用いられる。      
【００４０】
狭域無線通信部３５は、電文の送信先の子機４０を探索するための探索信号として、ビーコンを間欠的に送信する。このビーコンには、親機３０を識別するための無線機番号が含まれている。また、狭域無線通信部３５は、子機４０が送信したビーコンを受信した場合に、送信すべきデータを有するとき、ビーコンに含まれる無線機番号より特定される子機４０へ、当該データを含んだ電文を送信する。
【００４１】
表示部３２は、ＬＥＤ、液晶表示パネル等により構成され、制御部３１が出力する制御信号に基づいて、保守作業を行う作業者等に通知すべき情報を表示することができる。
【００４２】
操作部３３は、ディップスイッチ等の各種スイッチ、ボタン等により構成され、例えば、保守作業を行う作業者等による各種の設定操作を受付けることができる。制御部３１は、操作部３３が出力する設定内容に基づいて所要の制御を行い、必要に応じて設定内容を記憶部３６に記憶すべく制御する。
【００４３】
図４は実施の形態１の子機４０の構成の一例を示すブロック図である。子機４０は、子機４０全体を制御する制御部４１、表示部４２、操作部４３、狭域無線通信部４４、判定部４５、接続部４６、記憶部４７などを備える。子機４０が備えるハードウェア各部は、不図示の電池から供給される電力により動作する。
【００４４】
制御部４１は、例えば、ＣＰＵ、ＲＯＭなどを備え、ＲＯＭに予め格納された制御プログラムをＣＰＵが実行することにより、子機４０が備えるハードウェア各部の制御を行う。
【００４５】
記憶部４７は、例えば、ＥＥＰＲＯＭなどの不揮発性メモリにより構成されており、子機４０の動作に関する設定情報、狭域無線網Ｎ２を介して通信する際に必要となる情報等を記憶する。
【００４６】
狭域無線通信部４４は、アンテナ（不図示）を通じて電波を発信及び受信することによって、親機３０との間で所定の無線通信方式にて通信を行う。狭域無線通信部４４は、親機３０における狭域無線通信部３５と同様の機能を有する。また、狭域無線通信部４４は、設定器６０との間で近距離無線通信を行う機能を有する。
【００４７】
接続部４６は、計測装置５０を接続するための１又は複数のポートを備える。子機４０と計測装置５０との間は、電線１によって有線接続されている。接続部４６は、電線１（子機４０と計測装置５０とを接続する電線）を介して計測装置５０で計測した指針値を取得する取得部としての機能を有する。なお、有線接続だけでなく無線接続でもよい。すなわち、子機４０は、計測装置に接続して計測値を取得する。
【００４８】
判定部４５は、子機４０と計測装置５０との接続の適否を判定する。判定部４５による判定処理の詳細は後述する。
【００４９】
表示部４２は、ＬＥＤ、液晶表示パネル等により構成され、制御部４１が出力する制御信号に基づいて、保守作業を行う作業者等に通知すべき情報を表示することができる。
【００５０】
操作部４３は、ディップスイッチ等の各種スイッチ、ボタン等により構成され、例えば、保守作業を行う作業者等による各種の設定操作を受付けることができる。制御部４１は、操作部４３が出力する設定内容に基づいて所要の制御を行い、必要に応じて設定内容を記憶部４７に記憶すべく制御する。
【００５１】
図５は実施の形態１の設定器６０の構成の一例を示すブロック図である。設定器６０は、例えば、タブレット端末装置、ノート型コンピュータ、スマートフォンなどで構成することができる。設定器６０は、設定器全体を制御する制御部６１、表示部６２、操作部６３、メール送信部６４、近距離無線通信部６５、カメラ部６６、記憶部６７などを備える。設定器６０は、子機４０が設置された設置現場で開通処理などの作業を行う作業者が携帯することができる。本実施の形態において、設置現場は、計測装置５０に接続された子機４０が設置された設置個所である。また、開通処理は、子機４０と計測装置５０との接続の適否を判定する処理である。
【００５２】
表示部６２は、液晶表示パネル等により構成され、制御部６１が出力する制御信号に基づいて、開通処理に関する情報（例えば、開通処理の結果など）を表示することができる。
【００５３】
操作部６３は、キーボードなどを備え、作業者が計測装置５０から読み取った指針値を入力することができる。また、操作部６３は、メール送信部６４で送信するメールを作成するための操作を受け付けることができる。
【００５４】
カメラ部６６は、計測装置５０が表示する指針値を撮像し、撮像して得られた画像を処理することにより、指針値を取得することができる。
【００５５】
操作部６３、又はカメラ部６６は、計測装置５０で計測された指針値を入力する入力部としての機能を有する。本明細書では、入力部を介して取得するということは、電線１（子機４０と計測装置５０とを接続する電線）を介さずに計測装置５０で計測された指針値を取得するということである。
【００５６】
メール送信部６４は、作業者が作成メールを、広域無線網Ｎ１を介してサーバ１０へ送信することができる。メールには、例えば、件名として開通依頼、本文として顧客番号、計測装置５０の指針値などを含めることができる。
【００５７】
近距離無線通信部６５は、子機４０との間での近距離無線を行うことができる。近距離無線通信部６５は、例えば、開通指示を子機４０へ送信することができる。
【００５８】
次に、本実施の形態の通信システムの動作を説明する前に、比較例として従前の開通時の指針値確認判定処理について説明する。
【００５９】
図６は比較例としての開通時の指針値確認判定処理の一例を示す説明図である。開通時とは、開通処理を行う準備が整った状態であり、より具体的には、親機と子機との間の無線ペアリングが完了し、子機と計測装置とが有線接続された状態である。まず、子機の設置現場にいる作業者は、開通依頼（Ａ１）を行う。開通依頼は具体的には、センタへ電話連絡を行い、例えば、「○○さん宅の開通処理をお願いします。」の如くセンタのオペレータに連絡する。
【００６０】
センタでは、電話連絡を受けたオペレータが操作を行って、親機を介して指針値要求を子機へ送信する（Ａ２）。指針値要求を受信した子機は、指針値要求を計測装置へ送信する（Ａ３）。計測装置が指針値を子機へ送信することにより、子機は指針値を取得する（Ａ４）。子機は指針値応答をセンタへ送信する（Ａ５）。これにより、センタは、子機経由で計測装置の指針値を取得する。
【００６１】
作業者は、計測装置の指針値を目視で確認し（Ａ６）、確認した指針値をセンタに連絡する（Ａ７）。この場合も、作業者はセンタへ電話連絡を行い、例えば、「○○さん宅の指針値は△△です。一致していますか？」の如くセンタのオペレータに連絡する。センタでは、作業者からの連絡で取得した指針値と、子機経由で取得した指針値とを比較し（Ａ８）、両者の指針値が一致している場合、子機と計測装置との接続は正しく行われていると判定し、開通処理が完了したと判断することができる。
【００６２】
図６に示すような比較例の場合、指針値の確認が電話連絡にて行われるため、読み違い、聞き違い等のヒューマンエラーが発生するおそれがある。また、開通処理の結果を確認するためにセンタのオペレータが必要となる。また、設置現場において作業者は、開通処理が完了するまで設置現場に待機しなければならない。このように、比較例の場合には、センタのオペレータ及び設置現場の作業者の負担が大きかった。
【００６３】
次に、本実施の形態の通信システムの動作について説明する。
【００６４】
図７は実施の形態１の通信システムによる開通時の指針値確認判定処理の一例を示す説明図である。親機３０と子機４０との間の無線ペアリングが完了し、子機４０と計測装置５０とが有線接続された状態、すなわち開通可能な状態となっている。設置現場の作業者は、設定器６０に計測装置５０の指針値を入力する（Ｐ１）。指針値の入力は、操作部６３又はカメラ部６６を用いることができる。
【００６５】
作業者は、設定器６０からサーバ１０へメールを送信する（Ｐ２）。メールには、件名として開通依頼、本文として顧客番号、計測装置５０の指針値を含めることができる。サーバ１０は、設定器６０が送信したメールを受信することにより、設定器６０で取得した指針値を取得し、取得した指針値を登録する（Ｐ３）。
【００６６】
設定器６０から開通指示を子機４０へ送信すると（Ｐ４）、子機４０は、指針値要求を計測装置５０へ送信し（Ｐ５）、計測装置５０は、計測した指針値を子機４０へ送信する。これにより、子機４０は、指針値を取得する（Ｐ６）。
【００６７】
子機４０は、親機３０を介して、取得指針値をサーバ１０へ送信する（Ｐ７）。サーバ１０は、取得指針値を受信すると、設定器６０から送信された指針値（登録指針値）を子機４０へ送信する（Ｐ８）。
【００６８】
子機４０は、サーバ１０から受信した登録指針値（受信値）と、計測装置５０から取得した指針値（取得値）とを比較し（Ｐ９）、両者の一致・不一致を判定する。両者が一致する場合は、子機４０と計測装置５０との接続は適切であると判定することができ、両者が一致しない場合、子機４０と計測装置５０との接続は不適切である（例えば、子機４０が目的とする計測装置５０に接続されていない）と判定することができる。
【００６９】
子機４０は、判定結果を設定器６０へ送信（通知）し（Ｐ１０）、判定結果を表示部４２に表示する（Ｐ１１）。設定器６０は、判定結果を受信し、受信した判定結果を表示部６２に表示する（Ｐ１２）。
【００７０】
上述のように、子機４０は、計測装置５０で計測された指針値を計測装置５０に接続して取得する接続部４６、親機３０を介してサーバ１０が送信した指針値（設定器６０が、入力部を介して取得した指針値）を受信する狭域無線通信部４４、並びに接続部４６で取得した指針値及び狭域無線通信部４４で受信した指針値に基づいて、子機４０と計測装置５０との接続の適否を判定する判定部４５を備える。
【００７１】
子機４０が計測装置５０に接続して計測装置５０から取得した指針値と、操作部６３又はカメラ部６６（入力部）を介して設定器６０が取得した指針値とが一致する場合、目的の計測装置５０に子機４０が接続されていると判定することができ、開通処理を完了することができる。また、設定器６０から指針値をサーバ１０へ送信することによって、子機４０の判定部４５で指針値の一致・不一致を判定することができるので、センタのオペレータが不要となり、また、作業者がセンタのオペレータと電話確認を行う必要がないので、開通処理に係る作業負担を軽減することができる。
【００７２】
子機４０は、判定部４５での判定結果に関する情報を表示する表示部４２を備える。これにより、作業者は、センタのオペレータとの間で確認作業をする必要がなく、目的の計測装置５０に子機４０が接続されていることを容易に確認することができる。
【００７３】
子機４０は、判定部４５での判定結果を狭域無線通信部４４から設定器６０へ送信することにより、作業者が設定器６０を携帯しつつ設置現場を離れたとしても、作業者は判定結果を確認することができるので、判定結果が得られるまで設置現場に留まる必要がない。これにより、作業者は、例えば、次の設置現場に行くことができるので、作業者の作業効率を向上させることができる。
【００７４】
設定器６０は、開通指示（計測指示）を子機４０へ送信する近距離無線通信部６５を備える。子機４０は、設定器６０から開通指示を受信すると、計測装置５０から指針値を取得する。図７に示したように、作業者が設定器６０を操作して、開通指示を子機４０へ送信することにより、子機４０は、計測装置５０から指針値を取得することができる。作業者が開通指示を送信するだけで、開通処理を完了させることができるので、作業者は、例えば、現在の設置現場を離れて次の設置現場に行くことができ、開通処理が完了するまで待機する必要がなく、作業性が向上する。
【００７５】
［実施の形態２］
図８は実施の形態２の通信システムによる開通時の指針値確認判定処理の一例を示す説明図である。図７に示す第１例との相違点は、子機４０が、サーバ１０から送信された登録指針値を受信すると、指針値要求を計測装置５０へ送信し、計測装置５０から指針値を取得する点である。
【００７６】
図８に示すように、設置現場の作業者は、設定器６０に計測装置５０の指針値を入力する（Ｐ１）。作業者は、設定器６０からサーバ１０へメールを送信する（Ｐ２）。メールには、件名として開通依頼、本文として顧客番号、計測装置５０の指針値を含めることができる。サーバ１０は、設定器６０が送信したメールを受信することにより、設定器６０で取得した指針値を取得し、取得した指針値を登録する（Ｐ３）。
【００７７】
サーバ１０が、親機３０を介して登録指針値を子機４０へ送信すると（Ｐ４）、子機４０は、指針値要求を計測装置５０へ送信し（Ｐ５）、計測装置５０は、計測した指針値を子機４０へ送信する。これにより、子機４０は、指針値を取得する（Ｐ６）。
【００７８】
子機４０は、サーバ１０から受信した登録指針値（受信値）と、計測装置５０から取得した指針値（取得値）とを比較し（Ｐ７）、両者の一致・不一致を判定する。両者が一致する場合は、子機４０と計測装置５０との接続は適切であると判定することができ、両者が一致しない場合、子機４０と計測装置５０との接続は不適切である（例えば、子機４０が目的とする計測装置５０に接続されていない）と判定することができる。
【００７９】
子機４０は、親機３０を介して、判定結果をサーバ１０へ送信（通知）し（Ｐ８）、判定結果を設定器６０へ送信（通知）し（Ｐ９）、判定結果を表示部４２に表示する（Ｐ１０）。設定器６０は、判定結果を受信し、受信した判定結果を表示部６２に表示する（Ｐ１１）。
【００８０】
上述のように、第２例においても、第１例と同様に、子機４０が計測装置５０に接続して計測装置５０から取得した指針値と、入力部を介して設定器６０が取得した指針値とが一致する場合、目的の計測装置５０に子機４０が接続されていると判定することができ、開通処理を完了することができる。また、設定器６０から指針値をサーバ１０へ送信することによって、子機４０の判定部４５で指針値の一致・不一致を判定することができるので、センタのオペレータが不要となり、また、作業者がセンタのオペレータと電話確認を行う必要がないので、開通処理に係る作業負担を軽減することができる。
【００８１】
子機４０は、判定部４５での判定結果をサーバ１０へ送信することにより、設置現場から離れた遠隔地でも開通処理の結果を確認することができる。
【００８２】
子機４０は、親機３０を介して、サーバ１０が送信した登録指針値を狭域無線通信部４４で受信した場合、計測装置５０で計測された指針値を、計測装置５０に接続して取得する。図８に示すように、作業者が設定器６０を操作して、指針値をサーバ１０へ送信すると、サーバ１０は、親機３０を介して、受信した指針値（登録指針値）を子機４０へ送信する。これにより、子機４０は、計測装置５０から計測装置を取得することができ、開通処理を完了させることができるので、作業者は、例えば、現在の設置現場を離れて次の設置現場に行くことができ、開通処理が完了するまで待機する必要がなく、作業性が向上する。
【００８３】
［実施の形態３］
次に、実施の形態３の通信システムによる開通時の指針値確認判定処理の一例について説明する。
【００８４】
図９は実施の形態３に用いるサーバ１１０の構成の一例を示すブロック図であり、図１０は実施の形態３に用いる子機１４０の構成の一例を示すブロック図である。図２に示す、実施の形態１に用いるサーバ１０との相違点は、判定部１５を備える点である。また、図４に示す、実施の形態１に用いる子機４０との相違点は、判定部４５を具備しない点である。すなわち、実施の形態３では、サーバ１１０が、子機１４０と計測装置５０との接続の適否を判定する。
【００８５】
図１１は実施の形態３の通信システムによる開通時の指針値確認判定処理の一例を示す説明図である。親機３０と子機１４０との間の無線ペアリングが完了し、子機１４０と計測装置５０とが有線接続された状態、すなわち開通可能な状態となっている。設置現場の作業者は、設定器６０に計測装置５０の指針値を入力する（Ｐ１）。指針値の入力は、操作部６３又はカメラ部６６を用いることができる。
【００８６】
作業者は、設定器６０からサーバ１１０へメールを送信する（Ｐ２）。メールには、件名として開通依頼、本文として顧客番号、計測装置５０の指針値を含めることができる。サーバ１１０は、設定器６０が送信したメールを受信することにより、設定器６０で取得した指針値を取得し、取得した指針値を登録する（Ｐ３）。
【００８７】
設定器６０から開通指示を子機１４０へ送信すると（Ｐ４）、子機１４０は、指針値要求を計測装置５０へ送信し（Ｐ５）、計測装置５０は、計測した指針値を子機１４０へ送信する。これにより、子機１４０は、指針値を取得する（Ｐ６）。
【００８８】
子機１４０は、親機３０を介して、取得指針値をサーバ１１０へ送信する（Ｐ７）。サーバ１１０は、取得指針値を受信すると、登録した指針値（設定器６０から取得した指針値）と子機１４０から取得した指針値とを比較し、両者の一致・不一致を判定する（Ｐ８）。両者が一致する場合は、子機１４０と計測装置５０との接続は適切であると判定することができ、両者が一致しない場合、子機１４０と計測装置５０との接続は不適切である（例えば、子機１４０が目的とする計測装置５０に接続されていない）と判定することができる。
【００８９】
サーバ１１０は、親機３０を介して、判定結果を子機１４０へ送信する（Ｐ９）。子機１４０は、受信した判定結果を設定器６０へ送信（通知）するとともに（Ｐ１０）、表示部４２に表示する（Ｐ１１）。設定器６０は、子機１４０が送信した判定結果を受信し、受信した判定結果を表示部６２に表示する（Ｐ１２）。
【００９０】
上述のように、サーバ１１０は、設定器６０が取得した指針値を取得するメール受信部１４（サーバ取得部）、子機１４０が送信した指針値を受信する通信部１２、並びにメール受信部１４で取得した指針値及び通信部１２で受信した指針値に基づいて、子機１４０と計測装置５０との接続の適否を判定する判定部１５を備える。
【００９１】
子機１４０が計測装置５０に接続して取得した指針値と、入力部を介して設定器６０が取得した指針値とが一致する場合、目的の計測装置５０に子機１４０が接続されていると判定することができ、開通処理を完了することができる。また、設定器６０から指針値をサーバ１１０へ送信することによって、サーバ１１０の判定部１５で指針値の一致・不一致を判定することができるので、センタのオペレータが不要となり、また、作業者がセンタのオペレータと電話確認を行う必要がなく、開通処理に係る作業負担を軽減することができる。
【００９２】
サーバ１１０は、親機３０を介して、判定部１５での判定結果を子機１４０へ送信する通信部１２を備える。これにより、サーバ１１０が判定した判定結果を子機１４０が取得することができる。
【００９３】
子機１４０は、サーバ１１０が送信した判定結果に関する情報を表示する表示部４２を備える。これにより、サーバ１１０が判定した判定結果を子機１４０で確認することができ、作業者がセンタのオペレータと電話確認を行う必要がなくなり、開通処理に係る作業負担を軽減することができる。
【００９４】
子機１４０は、サーバ１１０が送信した判定結果を設定器６０へ送信する狭域無線通信部４４（第２送信部）を備える。これにより、作業者は設定器６０で判定結果を確認することができ、設置現場を離れた後でも、当該設置現場での開通処理の結果を確認することができる。
【００９５】
上述のように、本実施の形態によれば、設置現場の作業員が目視で確認しながら指針値をサーバに登録することができるので、指針値の誤登録を低減することができる。また、子機又はサーバが指針値の一致・不一致の判定処理を行うので、センタのオペレータが不要となり、作業ミスを低減することができる。また、作業員とセンタのオペレータとの間で電話連絡を行う必要がなく、作業を簡略化することができる。
【００９６】
本実施の形態に係る通信システムは、需要家に設置されたメータを計測する計測装置と、該計測装置に接続して計測値を取得する通信装置と、該通信装置と通信可能なサーバとを備える通信システムであって、前記サーバは、前記計測装置で計測された計測値を入力する入力部を備えた携帯装置から該計測値を取得するサーバ取得部と、該サーバ取得部で取得した計測値を前記通信装置へ送信する送信部とを備え、前記通信装置は、前記計測装置で計測された計測値を該計測装置に接続して取得する取得部と、前記サーバが送信した計測値を受信する受信部と、前記取得部で取得した計測値及び前記受信部で受信した計測値に基づいて、前記通信装置と前記計測装置との接続の適否を判定する判定部とを備える。
【００９７】
本実施の形態に係る通信装置は、需要家に設置されたメータを計測する計測装置に接続される通信装置であって、前記計測装置で計測された計測値を該計測装置に接続して取得する取得部と、前記計測装置で計測された計測値を入力する入力部を備えた携帯装置から送信された計測値を、サーバを介して受信する受信部と、前記取得部で取得した計測値及び前記受信部で受信した計測値に基づいて、前記通信装置と前記計測装置との接続の適否を判定する判定部とを備える。
【００９８】
携帯装置（６０）は、計測装置（５０）で計測された計測値を入力する入力部（６３、６６）を備える。計測装置は、例えば、需要家に設置されたメータである。計測値は、例えば、ガス、電気又は水道などの指針値である。携帯装置は、計測装置が設置された現場において、作業者が携帯する装置である。計測値を取得するには、例えば、作業者が計測値を手動で入力（入力操作）する方法、携帯装置に備えられたカメラで計測値を撮像して取得する方法などがある。
【００９９】
サーバ（１０）は、携帯装置が取得した計測値を取得するサーバ取得部（１４）、及びサーバ取得部で取得した計測値を通信装置へ送信する送信部（１２）を備える。具体的には、携帯装置は、計測値をサーバへ送信し、サーバは携帯装置が送信した計測値を受信することにより、計測値を取得することができる。
【０１００】
通信装置（子機とも称する）（４０）は、計測装置で計測された計測値を当該計測装置に接続して取得する取得部（４６）、サーバが送信した計測値を受信する受信部（４４）、並びに取得部で取得した計測値及び受信部で受信した計測値に基づいて、通信装置と計測装置との接続の適否を判定する判定部（４５）を備える。計測装置に有線接続にて接続された通信装置の設置個所を設置現場とも称する。また、通信装置と計測装置との接続の適否を判定する処理を開通処理とも称する。
【０１０１】
計測装置に接続して通信装置が取得した計測値と、入力部を介して携帯装置が取得した計測値とが一致する場合、目的の計測装置に正しく通信装置が接続されていると判定することができ、開通処理を完了することができる。また、携帯装置から計測値を送信することによって、通信装置の判定部で計測値の一致・不一致を判定することができるので、センタのオペレータが不要となり、また、作業者がセンタのオペレータと電話確認を行う必要がないので、開通処理に係る作業負担を軽減することができる。
【０１０２】
本実施の形態に係る通信システムは、需要家に設置されたメータを計測する計測装置と、該計測装置に接続して計測値を取得する通信装置と、該通信装置と通信可能なサーバとを備える通信システムであって、前記通信装置は、前記計測装置で計測された計測値を該計測装置に接続して取得する取得部と、該取得部で取得した計測値を前記サーバへ送信する第１送信部とを備え、前記サーバは、前記計測装置で計測された計測値を入力する入力部を備えた携帯装置から該計測値を取得するサーバ取得部と、前記通信装置が送信した計測値を受信する受信部と、前記サーバ取得部で取得した計測値及び前記受信部で受信した計測値に基づいて、前記通信装置と前記計測装置との接続の適否を判定する判定部とを備える。
【０１０３】
本実施の形態に係るサーバは、需要家に設置されたメータを計測する計測装置に接続される通信装置と通信可能なサーバであって、前記計測装置で計測された計測値を入力する入力部を備えた携帯装置から該計測値を取得する取得部と、前記計測装置で計測された計測値を該計測装置に接続して取得した前記通信装置が送信した計測値を受信する受信部と、前記取得部で取得した計測値及び前記受信部で受信した計測値に基づいて、前記通信装置と前記計測装置との接続の適否を判定する判定部とを備える。
【０１０４】
携帯装置（６０）は、計測装置（５０）で計測された計測値を入力する入力部を備える（６３、６６）。計測装置は、例えば、需要家に設置されたメータである。計測値は、例えば、ガス、電気又は水道などの指針値である。携帯装置は、計測装置が設置された現場において、作業者が携帯する装置である。計測値を取得するには、例えば、作業者が計測値を手動で入力（入力操作）する方法、携帯装置に備えられたカメラで計測値を撮像して取得する方法などがある。
【０１０５】
通信装置（１４０）は、計測装置で計測された計測値を当該計測装置に接続して取得する取得部（４６）、及び取得部で取得した計測値をサーバへ送信する第１送信部（４４）を備える。
【０１０６】
サーバ（１１０）は、携帯装置が取得した計測値を取得するサーバ取得部（１４）、通信装置が送信した計測値を受信する受信部（１２）、並びにサーバ取得部で取得した計測値及び受信部で受信した計測値に基づいて、通信装置と計測装置との接続の適否を判定する判定部（１５）を備える。計測装置に有線接続にて接続された通信装置の設置個所を設置現場とも称する。また、通信装置と計測装置との接続の適否を判定する処理を開通処理とも称する。
【０１０７】
計測装置に接続して通信装置が取得した計測値と、入力部を介して携帯装置が取得した計測値とが一致する場合、目的の計測装置に正しく通信装置が接続されていると判定することができ、開通処理を完了することができる。また、携帯装置から計測値を送信することによって、サーバの判定部で計測値の一致・不一致を判定することができるので、センタのオペレータが不要となり、また、作業者がセンタのオペレータと電話確認を行う必要がないので、開通処理に係る作業負担を軽減することができる。
【０１０８】
本実施の形態に係る通信システムにおいて、前記通信装置は、前記判定部での判定結果に関する情報を表示する表示部を備える。
【０１０９】
通信装置（４０）は、判定部（４５）での判定結果に関する情報を表示する表示部（４２）を備える。これにより、作業者は、センタのオペレータとの間で確認作業をする必要がなく、目的の計測装置に正しく通信装置が接続されていることを容易に確認することができる。
【０１１０】
本実施の形態に係る通信システムにおいて、前記通信装置は、前記判定部での判定結果を前記サーバ及び前記携帯装置の少なくとも一方へ送信する送信部を備える。
【０１１１】
通信装置（４０）は、判定部（４５）での判定結果をサーバ（１０）及び携帯装置（６０）の少なくとも一方へ送信する送信部（４４）を備える。判定結果を携帯装置へ送信することにより、作業者が携帯装置を携帯しつつ設置現場を離れたとしても、作業者は判定結果を確認することができるので、判定結果が得られるまで設置現場に留まる必要がない。これにより、作業者は、例えば、次の設置現場に行くことができるので、作業者の作業効率を向上させることができる。また、判定結果をサーバへ送信することにより、設置現場から離れた遠隔地でも開通処理の結果を確認することができる。
【０１１２】
本実施の形態に係る通信システムにおいて、前記携帯装置は、計測指示を前記通信装置へ送信する送信部を備え、前記取得部は、前記計測指示に基づいて計測値を取得する。
【０１１３】
携帯装置（６０）は、計測指示（開通指示とも称する）を通信装置（４０）へ送信する送信部（６５）を備える。通信装置の取得部（４６）は、計測指示に基づいて計測値を取得する。例えば、作業者が携帯装置を操作して、計測指示を通信装置へ送信することにより、通信装置は、計測装置（５０）から計測値を取得することができる。計測指示を行うだけで、開通処理を完了させることができるので、作業者は、例えば、現在の設置現場を離れて次の設置現場に行くことができるので、開通処理が完了するまで待機する必要がなく、作業性が向上する。
【０１１４】
本実施の形態に係る通信システムにおいて、前記取得部は、前記サーバが送信した計測値を前記受信部で受信した場合、前記計測装置で計測された計測値を該計測装置に接続して取得する。
【０１１５】
通信装置（４０）の取得部（４６）は、サーバ（１０）が送信した計測値を受信部（４４）で受信した場合、計測装置（５０）で計測された計測値を該計測装置に接続して取得する。例えば、作業者が携帯装置を操作して、計測値をサーバへ送信すると、サーバは受信した計測値を通信装置へ送信する。これにより、通信装置は、計測装置から計測値を取得することができ、開通処理を完了させることができるので、作業者は、例えば、現在の設置現場を離れて次の設置現場に行くことができるので、開通処理が完了するまで待機する必要がなく、作業性が向上する。
【０１１６】
本実施の形態に係る通信システムにおいて、前記サーバは、前記判定部での判定結果を前記通信装置へ送信する送信部を備える。
【０１１７】
サーバ（１１０）は、判定部（１５）での判定結果を通信装置（１４０）へ送信する送信部（１２）を備える。これにより、サーバが判定した判定結果を通信装置が取得することができる。
【０１１８】
本実施の形態に係る通信システムにおいて、前記通信装置は、前記サーバが送信した判定結果に関する情報を表示する表示部を備える。
【０１１９】
通信装置（１４０）は、サーバ（１１０）が送信した判定結果に関する情報を表示する表示部（４２）を備える。これにより、サーバが判定した判定結果を通信装置で確認することができ、作業者がセンタのオペレータと電話確認を行う必要がなくなり、開通処理に係る作業負担を軽減することができる。
【０１２０】
本実施の形態に係る通信システムにおいて、前記通信装置は、前記サーバが送信した判定結果を前記携帯装置へ送信する第２送信部を備える。
【０１２１】
通信装置（１４０）は、サーバ（１１０）が送信した判定結果を携帯装置（６０）へ送信する第２送信部（４４）を備える。これにより、作業者は携帯装置で判定結果を確認することができ、設置現場を離れた後でも、当該設置現場での開通処理の結果を確認することができる。
【符号の説明】
【０１２２】
１  電線
１０、１１０  サーバ
１１  制御部
１２  通信部
１３  記憶部
１４  メール受信部
１５  判定部
２０  センタ側網制御装置
３０  親機
３１  制御部
３２  表示部
３３  操作部
３４  広域無線通信部
３５  狭域無線通信部
３６  記憶部
４０、１４０  子機
４１  制御部
４２  表示部
４３  操作部
４４  狭域無線通信部
４５  判定部
４６  接続部
４７  記憶部
５０  計測装置
６０  設定器
６１  制御部
６２  表示部
６３  操作部
６４  メール送信部
６５  近距離無線通信部
６６  カメラ部
６７  記憶部
【図１】
2018120459.tif 000003
【図２】
2018120459.tif 000004
【図３】
2018120459.tif 000005
【図４】
2018120459.tif 000006
【図５】
2018120459.tif 000007
【図６】
2018120459.tif 000008
【図７】
2018120459.tif 000009
【図８】
2018120459.tif 000010
【図９】
2018120459.tif 000011
【図１０】
2018120459.tif 000012
【図１１】
2018120459.tif 000013